(57)【要約】      （修正有）【課題】下蓋に形成された穿孔部に指を触れずに、この穿孔部を押し下げてシール蓋に穴を形成できるマイクロ波処理容器用の複合蓋を提供する。【解決手段】マイクロ波処理容器１のシール蓋１１の上方に被着可能な下蓋２と、下蓋２の上方に装着された上蓋３とを有し、下蓋２が、シール蓋１１の上方を覆う被覆板部２１と、被覆板部２１の面内にバネ部を介して連結され且つバネ部のバネ作用によって上下方向に出退可能な穿孔部４とを有し、上蓋３が、少なくとも下蓋２の穿孔部４の上方を覆う被覆板部３１を有し、下蓋２の中心軸回りに回転できるように下蓋２に装着されており、上蓋３には、上蓋３を下蓋２の中心軸回りの一方側に回転させた際に、穿孔部４に接触してこれを下方に押し下げる押出突起部５が設けられている。【選択図】図９
2011251716.tif 000002
【特許請求の範囲】
【請求項１】
マイクロ波処理容器のシール蓋の上方に被着可能な下蓋と、前記下蓋の上方に装着された上蓋と、を有するマイクロ波処理容器用の複合蓋であって、
前記下蓋が、前記シール蓋の上方を覆う被覆板部と、前記被覆板部の面内にバネ部を介して連結され且つ前記バネ部のバネ作用によって上下方向に出退可能な穿孔部と、を有し、
前記上蓋が、少なくとも前記下蓋の穿孔部の上方を覆う被覆板部を有し、前記下蓋の中心軸回りに回転できるように下蓋に装着されており、
前記上蓋には、上蓋を下蓋の中心軸回りの一方側に回転させた際に、前記穿孔部に接触してこれを下方に押し下げる押出突起部が設けられていることを特徴とするマイクロ波処理容器用の複合蓋。
【請求項２】
前記押出突起部が、前記上蓋の被覆板部から下方に突設されており、
前記押出突起部の突出量が、前記中心軸回りの一方側を最小とし且つ前記一方側とは反対側に向かって徐々に又は段階的に増加している、請求項１に記載のマイクロ波処理容器用の複合蓋。
【請求項３】
前記下蓋の穿孔部を基準としてその穿孔部よりも前記中心軸回りの一方側に前記押出突起部が位置しているときに、前記中心軸回りの一方側とは反対側に前記上蓋が回転することを規制する規制手段が設けられている、請求項１又は２に記載のマイクロ波処理容器用の複合蓋。
【請求項４】
前記上蓋の下蓋に対する初期装着位置を決める位置決め手段が設けられている、請求項１〜３の何れかに記載のマイクロ波処理容器用の複合蓋。
【請求項５】
前記位置決め手段が、前記上蓋又は下蓋から突設され且つ前記上蓋との境界部分に脆弱部を有する位置決め突起部と、前記下蓋又は上蓋に設けられ且つ前記位置決め突起部が嵌り込む位置決め嵌合凹部と、から構成されている、請求項４に記載のマイクロ波処理容器用の複合蓋。
【請求項６】
マイクロ波処理容器のシール蓋の上方に被着される下蓋に装着されるマイクロ波処理容器用の上蓋であって、
前記下蓋に形成された穿孔部の上方を少なくとも覆う被覆板部を有し、前記下蓋の中心軸回りに回転できるように下蓋に装着可能であり、
前記下蓋の中心軸回りの一方側に回転させた際に、前記穿孔部に接触してこれを下方に押し下げる押出突起部が設けられていることを特徴とするマイクロ波処理容器用の上蓋。
【発明の詳細な説明】
【技術分野】
【０００１】
本発明は、マイクロ波照射によって飲食物を加温できるマイクロ波処理容器に用いられる複合蓋等に関する。
【背景技術】
【０００２】
従来、飲食物が収納されたカップ状容器の開口部をシール蓋にて密封したマイクロ波処理用包装体が知られている。この包装体を電子レンジに入れてマイクロ波処理すると、飲食物を加温できる。しかしながら、前記包装体は、容器の開口部をシール蓋によって密封しているので、マイクロ波処理時に生じる蒸気によって内圧が上昇する。
かかる内圧上昇を抑制するために、シール蓋として熱可塑性プラスチックシートとアルミニウム薄膜とを積層した積層シートを用い、且つこのアルミニウム薄膜の一部分にスリットを形成した容器が知られている（特許文献１）。
この特許文献１の容器をマイクロ波処理すると、スリット部分にマイクロ波が集中することによって熱可塑性プラスチックシートが溶融し、蒸気を逃がすための穴がシール蓋に生じる。
【０００３】
しかしながら、特許文献１の容器においては、溶融した熱可塑性プラスチックシートの一部が落下して飲食物に混入するおそれがあるので、食品衛生上、好ましくない。
【０００４】
この点、マイクロ波処理を行う直前に、錐のような穿孔部材を用いてシール蓋に穴を開けておけば、マイクロ波処理時に内圧の上昇を抑制できる上、飲食物にシール蓋の一部が混入することを防ぐことができる。
例えば、特許文献２には、開口部がシール蓋で閉じられた容器に装着されるオーバーキャップであって、オーバーキャップ本体にストラップヒンジを介して連結されたハンドル部材と、前記ハンドル部材から下方に突設された刺し刃部材と、を有するオーバーキャップが開示されている。このオーバーキャップを容器に装着した状態で、ハンドル部材の上面を指で押し下げると、刺し刃部材がシール蓋を突き破り、シール蓋に穴が開く。その後、この容器をマイクロ波処理に供すれば、内圧上昇を抑制できる。
【０００５】
しかしながら、飲食物を食する者（以下、飲食者という）が、前記ハンドル部材の押し下げを行うとは限らず、飲食者以外の者が前記ハンドル部材に指を触れると、それを不衛生と感じる飲食者も居ると思われる。例えば、コンビニエンスストア、コーヒーショップ、ファーストフード店などの店員が、ハンドル部材を手で押し、マイクロ波照射した後に、飲食者に渡す場合がある。このような場合に、一部の飲食者が不衛生と感じると、売上げ減少の要因になる。
また、上記ストラップヒンジは複数のストラップ部が所定間隔を開けて配設された構成からなるので、ハンドル部材を押し下げるときに、前記複数のストラップ部の隙間からシール蓋の上に異物が入り込むおそれもある。
【０００６】
さらに、何者かが、イタズラ目的などでハンドル部材を押し下げて容器のシール蓋に穴を開けた後、その容器を販売陳列棚に戻し、そのことに気付かずに飲食者が、それを購入するおそれもある。
【先行技術文献】
【特許文献】
【０００７】
【特許文献１】特許第２７７３１３８号公報
【特許文献２】特開２００８−２０７８７４号公報
【発明の概要】
【発明が解決しようとする課題】
【０００８】
本発明の第１の目的は、穿孔部に指を触れずに、穿孔部を押し下げてシール蓋に穴を形成できるマイクロ波処理容器用の複合蓋を提供することである。
本発明の第２の目的は、さらに、シール蓋に穴が開けられていること（又は穴が開けられている可能性があること）を判別できるマイクロ波処理容器用の複合蓋を提供することである。
【課題を解決するための手段】
【０００９】
本発明のマイクロ波処理容器用の複合蓋は、マイクロ波処理容器のシール蓋の上方に被着可能な下蓋と、前記下蓋の上方に装着された上蓋と、を有し、前記下蓋が、前記シール蓋の上方を覆う被覆板部と、前記被覆板部の面内にバネ部を介して連結され且つ前記バネ部のバネ作用によって上下方向に出退可能な穿孔部と、を有し、前記上蓋が、少なくとも前記下蓋の穿孔部の上方を覆う被覆板部を有し、前記下蓋の中心軸回りに回転できるように下蓋に装着されており、前記上蓋には、上蓋を下蓋の中心軸回りの一方側に回転させた際に、前記穿孔部に接触してこれを下方に押し下げる押出突起部が設けられている。
【００１０】
上記マイクロ波処理容器用の複合蓋は、上蓋に押出突起部が設けられているので、上蓋を下蓋の中心軸回りの一方側に回転させることにより、穿孔部に指を触れず、押出突起部を介して穿孔部を下方に押し下げることができる。
【００１１】
本発明の好ましいマイクロ波処理容器用の複合蓋は、前記押出突起部が、前記上蓋の被覆板部から下方に突設されており、前記押出突起部の突出量が、前記中心軸回りの一方側を最小とし且つ前記一方側とは反対側に向かって徐々に又は段階的に増加している。
かかる複合蓋は、押出突起部の突出量が、前記中心軸回りの一方側とは反対側に向かって徐々に又は段階的に増加しているので、下蓋の中心軸回りの一方側への上蓋の回転に従い、押出突起部を介して穿孔部を徐々に下方に押し下げることができる。従って、上蓋を回転させたときに押出突起部が穿孔部に引掛かるなどして、穿孔部の押し下げが遅滞することもなく、押出突起部を介して、穿孔部を円滑に押し下げることができる。
穿孔部の押し下げにより、マイクロ波処理容器のシール蓋に穴を開けることができる。シール蓋に穴を開けた後のマイクロ波処理容器は、マイクロ波照射時に内圧が極度に上昇することなく、飲食物を加温できる。
【００１２】
本発明の好ましいマイクロ波処理容器用の複合蓋は、前記下蓋の穿孔部を基準としてその穿孔部よりも前記中心軸回りの一方側に前記押出突起部が位置しているときに、前記中心軸回りの一方側とは反対側に前記上蓋が回転することを規制する規制手段が設けられている。
かかる複合蓋は、下蓋の中心軸回りの一方側とは反対側に上蓋が回転することを規制する規制手段が設けられているので、上蓋を中心軸回り一方側に回転させて押出突起部を介して穿孔部を押し下げた後、その上蓋の回転を規制できる。
従って、例えば、何者かがイタズラ目的などで、上蓋を回転させて穿孔部を押し下げて容器のシール蓋に穴を開けた後、上蓋を元の位置に回し戻して陳列棚などに戻すような不正行為を防止できる。
なお、下蓋の穿孔部を基準としてその穿孔部よりも中心軸回りの一方側に押出突起部が位置するように上蓋が下蓋に対して装着されていることを見れば、上蓋を回転させた可能性があることが判る。このため、穿孔部を介してシール蓋に穴が開けられていること又は穴が開けられている可能性があることを判別できる。
【００１３】
本発明の好ましいマイクロ波処理容器用の複合蓋は、前記上蓋の下蓋に対する初期装着位置を決める位置決め手段が設けられている。
かかる複合蓋は、上蓋の下蓋に対する初期装着位置を決める位置決め手段が設けられているので、初期装着位置に装着された上蓋を回転させにくくなる。従って、何者かがイタズラ目的などで、上蓋を不正に回転させることを行い難い。
【００１４】
本発明の好ましいマイクロ波処理容器用の複合蓋は、前記位置決め手段が、前記上蓋又は下蓋から突設され且つ前記上蓋との境界部分に脆弱部を有する位置決め突起部と、前記下蓋又は上蓋に設けられ且つ前記位置決め突起部が嵌り込む位置決め嵌合凹部と、から構成されている。
かかる複合蓋は、上蓋（又は下蓋）から突設された位置決め突起部が下蓋（又は上蓋）に設けられた位置決め嵌合凹部に嵌合することにより、上蓋が初期装着位置において装着されている。従って、何者かがイタズラ目的などで、上蓋を不正に回転させることを行い難い。
一方、この上蓋を強い回転力で回転させると、脆弱部において位置決め突起部が折れるため、下蓋の中心軸回りの一方側に回転させ、押出突起部によって穿孔部を押し下げることができる。位置決め突起部が折れると、上蓋を元の位置に戻しても、再び位置決め突起部が位置決め嵌合凹部に嵌合しない。従って、何者かが上蓋を回転させた後には、上蓋を弱い回転力で回転させることができるので、上蓋が不正に回転されたかどうかを簡単に判別できる。
【００１５】
本発明の別の局面によれば、マイクロ波処理容器用の上蓋を提供する。
このマイクロ波処理容器用の上蓋は、マイクロ波処理容器のシール蓋の上方に被着される下蓋に装着されるマイクロ波処理容器用の上蓋であって、前記下蓋に形成された穿孔部の上方を少なくとも覆う被覆板部を有し、前記下蓋の中心軸回りに回転できるように下蓋に装着可能であり、前記下蓋の中心軸回りの一方側に回転させた際に、前記穿孔部に接触してこれを下方に押し下げる押出突起部が設けられている。
【発明の効果】
【００１６】
本発明のマイクロ波処理容器用の複合蓋は、下蓋の穿孔部に指を触れず、上蓋を回転させることにより、穿孔部を押し下げて容器のシール蓋に穴を形成することができる。
かかるマイクロ波処理容器用の複合蓋を容器に装着すれば、飲食者に不衛生と感じさせることもなく、マイクロ波処理容器内の飲食物を加温できる。
また、本発明の好ましいマイクロ波処理容器用の複合蓋は、シール蓋に穴が開けられていること又は穴が開けられている可能性があることを判別できる。
【図面の簡単な説明】
【００１７】
【図１】１つの実施形態に係るマイクロ波処理用包装体の分解斜視図。
【図２】１つの実施形態に係るマイクロ波処理容器用の下蓋の平面図。
【図３】図２のＡ−Ａ線断面図。
【図４】１つの実施形態に係るマイクロ波処理容器用の上蓋の平面図。
【図５】同底面図。
【図６】図４のＢ−Ｂ線断面図。
【図７】図４のＣ−Ｃ線断面図。
【図８】１つの実施形態に係る複合蓋（上蓋が下蓋に対して初期装着位置に装着された複合蓋）が容器に装着されたマイクロ波処理用包装体の平面図。
【図９】図８のＤ−Ｄ線断面図。ただし、容器の下方部を省略している。
【図１０】図８の包装体の上蓋を中心軸回り一方側へ回転させ始めたときの状態を示す平面図。
【図１１】図１０のＥ−Ｅ線断面図。ただし、容器の下方部を省略している。
【図１２】図１０の包装体の上蓋を更に中心軸回り一方側へ回転させたときの状態を示す平面図。
【図１３】図１２のＦ−Ｆ線断面図。ただし、容器の下方部を省略している。
【図１４】（ａ）、（ｂ）は、変形例に係る押出突起部及び穿孔部の部分断面図。
【図１５】（ａ）、（ｂ）は、変形例に係る押出突起部及び穿孔部の部分断面図。
【図１６】（ａ）は、位置決め突起部及び位置決め嵌合凹部が形成された複合蓋の部分断面図、（ｂ）は、そのＧ−Ｇ線端面図。
【図１７】変形例に係る複合蓋が容器に装着されたマイクロ波処理用包装体の平面図。
【図１８】図１７のＨ−Ｈ線断面図。ただし、容器の下方部を省略している。
【図１９】図１７の包装体の上蓋を中心軸回り一方側へ回転させた後の状態を示す平面図。
【図２０】図１９のＩ−Ｉ線断面図。ただし、容器の下方部を省略している。
【発明を実施するための形態】
【００１８】
以下、本発明について、図面を参照しつつ具体的に説明する。
なお、「上」及び「下」の方向を示す用語は、容器を載置面上に置いた状態を基準とする。
【００１９】
［マイクロ波処理用包装体］
図１に於いて、１０は、飲食物をシール蓋１１にて密封したマイクロ波処理容器１と、容器１のシール蓋１１の上方を覆うべく容器１に被着された下蓋２と、下蓋２の上方に装着された上蓋３と、を有するマイクロ波処理用包装体を示す。
図１は、容器１、下蓋２及び上蓋３を分解して表している。これらが装着された状態の包装体１０は、図８及び図９を参照されたい。
図示したマイクロ波処理用包装体１０の容器内には、飲食物として、コーヒーや紅茶などの飲料が収納されている。このマイクロ波処理用包装体１０においては、飲料をマイクロ波によって加温した後、下蓋２を容器１から外さずに下蓋２の筒部２２に口を当てて飲料を飲む形式である。
もっとも、本発明のマイクロ波処理容器１における飲食物の種類及びその食し方は、上記のようなものに限定されるわけではない。例えば、飲食物は、調理済み粥などの食品でもよい。また、包装体１０は、上蓋３、下蓋２及びシール蓋１１を取り外して飲食物を食するような形式でもよい。
【００２０】
容器１は、飲食物が収納された収納部を有する上面開口型の容器本体１２と、容器本体１２の収納部を密封状に閉塞するため、上端開口部を塞ぐシール蓋１１と、を有する。シール蓋１１は、通常、容器本体１２の環状のフランジ部１３上に接着されている。
容器本体１２の形状は、例えば平面視円形状で且つ全体として略カップ状である。シール蓋１１は、従来周知のものと同様に、例えば、シーラント層及び光バリア層を有する柔軟な合成樹脂製シートからなる。
【００２１】
［下蓋及び上蓋を有するマイクロ波処理容器用の複合蓋］
マイクロ波処理容器用の複合蓋は、下蓋２及び上蓋３から構成されている。
上蓋３は、下蓋２の上方から下蓋２に着脱自在である。上蓋３は、下蓋２に装着された状態において、下蓋２の中心軸回りの一方側及びその反対側にそれぞれ回転させることができる。
なお、下蓋の中心軸は、下蓋被覆板部の中心点を通り且つ下蓋被覆板部に直交する軸を意味し、下蓋の中心軸回りの一方側は、下蓋の周方向一方側（本実施形態では、下蓋を上から見て、反時計回り）を意味し、下蓋の中心軸の一方側とは反対側は、下蓋の周方向他方側（本実施形態では、下蓋を上から見て、時計回り）を意味する。
以下、下蓋の中心軸回りの一方側を「中心軸回り一方側」と記し、下蓋の中心軸回りの一方側とは反対側を「中心軸回り反対側」と記す。
【００２２】
上蓋３は、下蓋２に対する初期装着位置において、下蓋２に装着されている。上蓋３が下蓋２の初期装着位置に装着された状態の複合蓋は、図８及び図９を参照されたい。
なお、上蓋の下蓋に対する初期装着位置とは、下蓋被覆板部の中心点と穿孔部とを通る仮想直線を境界として下蓋を２つの領域に分けたとき（その１つの領域は前記穿孔部を基準にして中心軸回り一方側の領域であり、もう１つの領域は前記穿孔部を基準にして中心軸回り反対側の領域である）、押出突起部の最大突出部が前記穿孔部を基準にして中心軸回り反対側の領域に位置するように、上蓋が下蓋に装着される位置をいう。
【００２３】
（下蓋）
下蓋２は、上記容器１の上方に被着可能である。
具体的には、下蓋２は、図２及び図３に示すように、シール蓋１１の上方を覆う被覆板部２１（以下、下蓋被覆板部２１という）と、下蓋被覆板部２１の周縁から上方に突設された略円筒状の筒部２２と、前記筒部２２の外周縁から下方に突設され且つ容器１のフランジ部１３の周縁に接する周側面部２３（以下、下蓋周側面部２３という）と、下蓋被覆板部２１の面内に形成された切開部２４と、下蓋被覆板部２１の面内にバネ部を介して連結され且つそのバネ作用によって上下方向に出退可能な穿孔部４と、を有する。
【００２４】
下蓋被覆板部２１の形状は、平面視円形状であり、下蓋周側面部２３の形状は、略円筒状である。下蓋周側面部２３は、筒部２２を介して下蓋被覆板部２１に一体的に連結されている。図９に示すように、この下蓋周側面部２３が容器１のフランジ部１３の周縁に係合することにより、下蓋２は容器の上方に被着される。
切開部２４は、特開２００８−２０７８７４の切開部材と同様な構造を有している。すなわち、切開部２４は、先端に先鋭な刃先が形成された刃部２４１と、指掛け部２４２と、を有する。指掛け部２４２は、下蓋被覆板部２１の上面から上方に延設され、指掛け部２４２の上端は、筒部２２の最大高さ部分と略同じ高さ又はこれよりも少し下方とされている。
なお、上記下蓋被覆板部２１、下蓋周側面部２３、筒部２２、切開部２４の構成及びその作用効果は、特開２００８−２０７８７４と略同様であるので、それを参照されたい。
【００２５】
穿孔部４は、切開部２４が設けられた位置から１８０度の位置に設けられている（穿孔部４と切開部２４とは、下蓋被覆板部２１の中心を挟んだ対向位置に設けられている）。
下蓋被覆板部２１の前記１８０度の位置には、所定形状（例えば、平面視略円形）の開口部２５が形成され、この開口部２５の周縁からその中心方向に向かって複数のストラップヒンジ部２６が所定間隔を開けて放射状に延設されている。このストラップヒンジ部２６は、例えば、３本であり、開口部２５の周方向に等間隔に設けられている。各ストラップヒンジ部２６は、その一端部が開口部２５の周縁に一体的に連結され、且つその他端部が穿孔部４に一体的に連結されている。各ストラップヒンジ部２６の平面視形状は、開口部２５の半径上に延びる直線状でもよいが、本実施形態では、渦巻き状に湾曲されている。ストラップヒンジ部２６は、下蓋被覆板部２１に対して相対直線変位可能であって、バネ作用を有するバネ部に相当する。
【００２６】
なお、図示例では、ストラップヒンジ部２６は、下蓋被覆板部２１の上面から少し下がった位置に設けられている（従って、穿孔部４の下方部は、下蓋被覆板部２１の上面よりも下方に下がっている）が、これに限定されず、ストラップヒンジ部２６は、下蓋被覆板部２１と同一面上に設けられていてもよいし、或いは、下蓋被覆板部２１の上面から少し上がった位置に設けられていてもよい。
【００２７】
穿孔部４は、各ストラップヒンジ部２６の他端部に連結されたハンドル部４１と、ハンドル部４１の下面から下方に突設された針状の刺し刃部４２と、を有する。
ハンドル部４１は、ストラップヒンジ部２６に連結された筒状部４１１と、筒状部４１１の上端に形成された天板部４１２と、からなる。前記筒状部４１１は、上方に向かうに従って縮径する筒状（略円錐台筒状）である。天板部４１２は、平面視略円形状であり、天板部４１２の下面から刺し刃部４２が突設されている。ハンドル部４１は、下蓋被覆板部２１の上面よりも上方に突出していることが好ましく、本実施形態では、天板部４１２が下蓋被覆板部２１の上面と筒部２２の上面の間に位置している。従って、前記筒状部４１１の上方部は、下蓋被覆板部２１の上面よりも上方に突出している。
【００２８】
本実施形態では、天板部４１２の下蓋被覆板部２１の上面に対する突出高さ（天板部４１２の上面と下蓋被覆板部２１の上面との間の長さ）が、穿孔部４の最大進出距離に相当する。この突出高さは、下蓋２を容器１に被着したときの、下蓋被覆板部２１とシール蓋１１との隙間などを考慮して適宜設定できるが、一般的には、３ｍｍ〜１０ｍｍ程度である。
刺し刃部４２は、その下端部（針先）が下蓋周側面部２３の下端部と略同じ高さ又は下蓋周側面部の下端部よりも少し上方に位置するように延設されている。
【００２９】
穿孔部４に荷重が加わっていない状態では、上述のように、天板部４１２及び筒状部４１１は、下蓋被覆板部２１の上面よりも上方に突出している。一方、上蓋３を回転させて押出突起部５を介して穿孔部４に上方から荷重を加えると、天板部４１２及び筒状部４１１は下方に移動し、前記荷重が解除されると、これらは元の位置に戻るようになっている。このように穿孔部４は、バネ部のバネ作用により上下方向に出退可能である。
なお、下蓋２は、通常、ポリプロピレンなどの合成樹脂を射出成形することにより形成できる。また、下蓋２は、透明又は不透明の何れでもよいが、シール蓋１１などを透視できないようにするため、下蓋２は、不透明であることが好ましい。
【００３０】
（上蓋３）
次に、上蓋３は、下蓋２の上方に被着可能である。
具体的には、上蓋３は、図４〜図７に示すように、少なくとも下蓋２の穿孔部４の上方を覆う被覆板部３１（以下、上蓋被覆板部３１という）と、上蓋被覆板部３１の周縁から上方に突設された略円筒状の嵌合筒部３２と、前記嵌合筒部３２の外周縁から下方に突設され且つ下蓋周側面部２３の外面に接する周側面部３３（以下、上蓋周側面部３３という）と、下蓋２の穿孔部４に接触し且つ穿孔部４を下方に押し下げるための押出突起部５と、を有する。
【００３１】
上蓋被覆板部３１の形状は、平面視円形状であり、上蓋周側面部３３の形状は、略円筒状である。
上蓋被覆板部３１には、その平面視略半円状の領域において下方に大きく凹んだ第１凹み領域３１１と、残る平面視略半円状の領域において前記第１凹み領域３１１よりも凹みが小さい第２凹み領域３１２と、が形成されている。第２凹み領域３１２は、嵌合筒部３２の上面よりも僅かに下方に位置している。従って、上蓋被覆板部３１の内面において、第１凹み領域３１１と第２凹み領域３１２の間には、段差面３１３が形成されている。
この第２凹み領域３１２の範囲内に下蓋２の指掛け部２４２が対応するように、上蓋３は下蓋２に装着される。また、上蓋３を下蓋２に装着した状態で、第２凹み領域３１２の内面は、指掛け部２４２の上端部に接触しない。そして、第２凹み領域３１２は上蓋被覆板部３１の略半円状の領域に形成されているので、穿孔部４を押し下げるために上蓋３を所定量回転させるときには、指掛け部２４２が上蓋３の回転障害とはならない。
【００３２】
上蓋周側面部３３は、嵌合筒部３２を介して上蓋被覆板部３１に一体的に連結されている。この上蓋周側面部３３が下蓋周側面部２３の外面に接することにより、上蓋３は下蓋２の上方に被着される。また、上蓋３は、その上蓋周側面部３３の内面を下蓋周側面部２３の外面上に摺動させることにより、下蓋２に対して回転可能である。
また、嵌合筒部３２は、上蓋３を下蓋２に装着したときに、下蓋２の筒部２２に被さる部分である。
【００３３】
押出突起部５は、上蓋被覆板部３１の内面（下面）から下方に突設されている。押出突起部５の突出量（上蓋被覆板部３１の内面から下方への高さ）は、中心軸回り一方側を最小とし且つ中心軸回り反対側に向かって徐々に増加している。
【００３４】
押出突起部５は、中心軸回り一方側においてその突出量が最も小さい最小突出部と、中心軸回り反対側においてその突出量が最も大きい最大突出部と、を有する。具体的には、押出突起部５は、上蓋被覆板部３１の内面から中心軸回り反対側に延びる傾斜面５１と、前記傾斜面５１の先端部（この先端部は、中心軸回り反対側に位置する端部であって、前記最大突出部である）に連設され且つ上蓋被覆板部３１の内面から略直交して延びる係合面５２と、を有する。
前記傾斜面５１は、上蓋被覆板部３１の内面に対して鈍角状に延出された面である。前記傾斜面５１と上蓋被覆板部３１の内面との成す角は、鈍角であれば特に限定されず、例えば、１２０度〜１７５度であり、好ましくは、１３５度〜１７０度である。
この押出突起部５は、上蓋３を回した際に、下蓋２の穿孔部４に接触する半径位置に配置されている。
【００３５】
また、上蓋３には、初期装着位置に装着された上蓋３が中心軸回り反対側に回らないようにするための、第１ストッパー部３４が設けられている。
上記第１ストッパー部３４は、上蓋被覆板部３１の内面から下方に突設されており、下蓋２の指掛け部２４２の一方の側部に当接している。
図８に示すように、第１ストッパー部３４が指掛け部２４２に当たるので、初期装着位置に装着されている上蓋３は、中心軸回り反対側へ回転し過ぎることはない。
【００３６】
なお、第１ストッパー部３４の形成位置は、特に限定されないが、例えば、図８及び図９に示すように、第１ストッパー部３４が下蓋２の指掛け部２４２の一方の側部に当接しているときに、押出突起部５の傾斜面５１の中途部分が、穿孔部４を押し下げない程度で穿孔部４のハンドル部４１の角部（筒状部４１１と天板部４１２の連結角部）に接するような位置が好ましい。このように第１ストッパー部３４及び押出突起部５がそれぞれ配置されていることにより、初期装着位置にある上蓋３を中心軸回り反対側へ回転させることができず、一方、その上蓋３を中心軸回り一方側へ少し回すだけで、押出突起部５を介して穿孔部４を下方に押し下げることができる。
【００３７】
もっとも、第１ストッパー部３４と押出突起部５の配置は、上記に限られず、適宜変更可能である。例えば、第１ストッパー３４が下蓋２に係止されているときに、押出突起部５が穿孔部４に接しておらず且つ押出突起部５が穿孔部４を基準にして中心軸回り反対側に位置するように、第１ストッパー３４及び押出突起部５が配置されていてもよい。また、第１ストッパー部３４が下蓋２に係止されていないときに（第１ストッパー部３４が下蓋２の指掛け部２４２に当接しておらず、中心軸一方側に少し寄っているときに）、押出突起部５が穿孔部４に接しておらず且つ押出突起部５が穿孔部４を基準にして中心軸回り反対側に位置するように、第１ストッパー３４及び押出突起部５が配置されていてもよい（押出突起部５と穿孔部４が少し又は十分に離れている）。このように押出突起部５と穿孔部４が離れていれば、流通過程などにおいて上蓋３に衝撃が加わって上蓋３が振動しても、穿孔部４が下方に押し下げられるおそれがないので好ましい。
【００３８】
なお、本発明の複合蓋においては、第１ストッパー部３４及び第２ストッパー部３５を必ずしも設ける必要はない。このため、第１ストッパー部３４を設けていない場合には、初期装着位置にある上蓋３は、その押出突起部５の傾斜面５１の中途部分が穿孔部４を押し下げない程度で穿孔部４のハンドル部４１の角部に接しているか、或いは、押出突起部５が穿孔部４に接しておらず且つ中心軸反対側に寄っている（つまり、上記と同様に、押出突起部５と穿孔部４が少し又は十分に離れている）。
【００３９】
さらに、上蓋３には、第２ストッパー部３５が設けられている。第２ストッパー部３５は、上蓋３を中心軸回り一方側に回して穿孔部４を下方に押し下げた後、その穿孔部４よりも前記中心軸回り一方側に押出突起部５が位置しているときの上蓋３が、中心軸回り一方側に回り過ぎることを防止する。
第２ストッパー部３５は、例えば、上蓋被覆板部３１の段差面３１３から構成されている。初期装着位置から中心軸回り一方向へと上蓋３を回転させていくと、図１２及び図１３に示すように、第２ストッパー部３５（段差面３１３）が下蓋２の指掛け部２４２の他方の側部に当接するので、上蓋３は、それ以上中心軸回り一方側に回らなくなる。
【００４０】
また、上記上蓋３及び下蓋２には、下蓋２の穿孔部４を基準としてその穿孔部４よりも中心軸回り一方側に押出突起部５が位置しているときの上蓋３が、中心軸回り反対側へそれぞれ回転することを規制する規制手段が設けられている。
この規制手段は、例えば、上蓋３に形成された係合突部３７と下蓋２に形成された係合凹部２７とからなり、この係合突部３７と係合凹部２７が凹凸嵌合することにより、上蓋３の下蓋２に対する回転を規制できる。
【００４１】
この係合突部３７は、上蓋３の嵌合筒部３２の内面から内側に向かって突設されており、係合凹部２７は、下蓋２の筒部２２の外面に凹設されている。この係合突部３７の突出量（嵌合筒部３２の内面からの高さ）は、中心軸回り一方側を最小とし且つ中心軸回り反対側に向かって徐々に又段階的に増加している。
従って、係合突部３７は、中心軸回り一方側においてその突出量が最も小さい最小突出部と、中心軸回り反対側においてその突出量が最も大きい最大突出部と、を有する。具体的には、係合突部３７は、嵌合筒部３２の内面から前記中心軸回り反対側に延びる傾斜面と、前記傾斜面の先端部に連設され且つ嵌合筒部３２の内面から略直交して延びる係合面と、を有する。
【００４２】
また、係合凹部２７は、前記係合突部３７が嵌り込み且つ係合突部３７の係合面５２に対向する対向面を有する凹部である。
係合突部３７と係合凹部２７の形成位置は、下蓋２の穿孔部４を基準としてその穿孔部４よりも中心軸回り一方側に押出突起部５が位置しているときに係合突部３７が係合凹部２７に嵌合することを条件として、特に限定されない。本実施形態では、第２ストッパー部３５（段差面３１３）が下蓋２の指掛け部２４２の他方の側部に当接すると略同時に、係合突部３７が係合凹部２７に嵌合するような位置に、係合突部３７及び係合凹部２７はそれぞれ形成されている。
なお、上記とは反対に、上記係合突部３７を下蓋２に形成し、且つ、上記係合凹部２７を上蓋３に形成してもよい。
【００４３】
さらに、上蓋被覆板部３１の面内には、覗き窓部６が開口されている。この覗き窓部６の形成位置は特に限定されないが、本実施形態では、覗き窓部６は、上蓋被覆板部３１の第２凹み領域３１２であって、押出突起部５の形成部分以外の箇所に形成されている。
覗き窓部６を介して、下蓋被覆板部２１の上面を視認できる。例えば、上蓋３が初期装着位置にあるときに、覗き窓部６に対応する下蓋被覆板部２１の上面に「未開封を示す表示（文字や色模様など）」（この表示は図示せず）を施しておくことにより、上蓋３を回転させておらず且つシール蓋１１に穴が開いていないことを視覚を以て簡易に判別できる。一方、上蓋３を中心軸回り一方側に回転させた後に覗き窓部６に対応する下蓋被覆板部２１の上面に「開封済みを示す表示」（この表示は図示せず）を施しておくことにより、上蓋３を回転させ且つシール蓋１１に穴が開いていることを視覚を以て簡易に判別できる。
【００４４】
上蓋３は、通常、ポリプロピレンなどの合成樹脂を射出成形することにより形成できる。また、上蓋３は、透明又は不透明の何れでもよい。上蓋３が透明である場合には、上記覗き窓部６を開口する必要はなく、この場合には、所望の部分（覗き窓部６を形成したい部分）を除いて、上蓋３に着色を施して不透明処理を行うことにより、上蓋３に上記覗き窓部６を形成できる。
なお、上記覗き窓部６は、上蓋被覆板部３１の一部分を切り欠いた開口に限られず、例えば、覗き窓部６の形成部分だけを透明な材質を用い且つそれ以外を不透明な材質を用いて上蓋３を形成してもよい（つまり、覗き窓部６を介して下蓋２を視認できれば良いので、覗き窓部６は、開口に限られない）。
上記透明な上蓋３に不透明処理を行う、又は、透明材料と不透明材料で上蓋を形成するなどの手段によれば、上蓋３は下蓋２に通じる開口を有しないので、下蓋２上に粉塵などが入り込みことがなく、より衛生的で好ましい。
【００４５】
［マイクロ波処理容器用の複合蓋の使用例］
上記下蓋２及び上蓋３からなる複合蓋は、マイクロ波処理容器１に装着して使用される。
具体的には、図８及び図９に示すように、上蓋３が下蓋２に対して初期装着位置に装着された状態の複合蓋を、マイクロ波処理容器１のシール蓋１１の上方に被着することにより、マイクロ波処理用包装体１０を準備する。
上蓋３が下蓋２の初期装着位置に装着された複合蓋は、第１ストッパー部３４が指掛け部２４２の一方の側部に当接し、且つ押出突起部５の傾斜面５１の中途部分が穿孔部４を押し下げない程度で穿孔部４のハンドル部４１に接していると共に、覗き窓部６を通じて未開封を示す表示が見えている。
【００４６】
この位置にある上蓋３を中心軸回り一方側へと回転させると、図１０及び図１１に示すように、押出突起部５にて穿孔部４が押し下げられる。なお、初期装着位置にある上蓋３を、誤って中心軸回り反対側に回すことも考えられるが、第１ストッパー部３４が設けられているので、そのような誤った回し方では上蓋３は殆ど回転しない。
上記のように、押出突起部５は、その突出量が中心軸回り反対側に向かって徐々に増加しているので（傾斜面５１を有するので）、上蓋３を中心軸回り一方側へ回転させていくと、押出突起部５の傾斜面５１に従い、穿孔部４が徐々に下方に押し下げられ、刺し刃部４２の先端が下方に進出する。押出突起部５の最大突出部が、穿孔部４の天板部４１２に至ると、穿孔部４の刺し刃部４２の先端が最も下方に進出する。刺し刃部４２が進出することにより、シール蓋１１に穴が形成される。
【００４７】
更に上蓋３を中心軸回り一方側へ回転させていくと、押出突起部５が穿孔部４の天板部４１２を乗り越えるので、バネ部によって穿孔部４の刺し刃部４２はシール蓋１１から抜けて元の位置に戻る。更に上蓋３を回転させていくと、図１２及び図１３に示すように、第２ストッパー部３５が下蓋２の指掛け部２４２の他方の側部に当接し、且つ上蓋３の係合突部３７が下蓋２の係合凹部２７に嵌合すると共に、覗き窓部６を通じて開封済みを示す表示が見えるようになる。
下蓋２の穿孔部４を押し下げた後、穿孔部４を基準としてその穿孔部４よりも中心軸回り一方側に押出突起部５が位置している（この位置を「穿孔部通過後位置」という場合がある）。
【００４８】
穿孔部通過後位置にある上蓋３は、第２ストッパー部３５が指掛け部２４２に当接しているので、上蓋３をそれ以上中心軸回り一方側へ回転させることができなくなる。また、係合突部３７と係合凹部２７が凹凸嵌合することにより（規制手段）、上蓋３を中心軸回り反対側へ回転させ難くなる。従って、例えば、何者かがイタズラ目的などで、上蓋３を回転させて穿孔部４を押し下げて容器のシール蓋１１に穴を開けた後、上蓋３を元の位置に回し戻して陳列棚などに戻すような不正行為を防止できる。
また、上蓋３が穿孔部通過後位置に装着されていることを見れば、上蓋３を回転させた可能性があることが判る。このため、穿孔部４を介してシール蓋１１に穴が開けられていること又は穴が開けられている可能性があることを判別できる。
【００４９】
なお、中心軸回り反対側に強い回転力を上蓋３に加えることにより、係合突部３７と係合凹部２７の凹凸嵌合を外した場合には、穿孔部通過後位置にある上蓋３は中心軸回り反対側に回転するが、押出突起部５の係合面５２が穿孔部４の筒状部４１１に当たるので、中心軸回り反対側に回したときには、押出突起部５が穿孔部４を乗り越え難い。このため、中心軸回り反対側に回転させた後の上蓋３を、初期装着位置に戻すことは困難である。この押出突起部５の係合面５２と穿孔部４の筒状部４１１は、穿孔部４よりも中心軸回り一方側に押出突起部５が位置しているときに、中心軸回り反対側に上蓋３が回転することを規制する規制手段（第２の規制手段）である。
【００５０】
上記マイクロ波処理容器用の複合蓋によれば、下蓋２の穿孔部４に指を触れずに、穿孔部４を押し下げてシール蓋１１に穴を形成できる。従って、飲食者以外の者がシール蓋１１に穴を開けるときに、飲食者に不衛生と感じさせることはない。
シール蓋１１に穴を開けた後の包装体１０を電子レンジに入れてマイクロ波処理することにより、極度な内圧上昇もなく、容器内の飲食物を加温できる。
加温後、上蓋３を下蓋２から外し、切開部２４によってシール蓋１１に飲み口を開けた後、この飲み口から飲食物を注出できる。また、加温後、上蓋３及び下蓋２を容器から外し、シール蓋１１を引き剥がして容器の上端開口部を開放した後、この上端開口部から飲食物を飲食できる。
【００５１】
［マイクロ波処理容器用の複合蓋などの変形例］
本発明のマイクロ波処理容器用の複合蓋並びにその上蓋及び下蓋などは、上記実施形態に例示のものに限られず、本発明の意図する範囲で、適宜設計変更することができる。以下、本発明のこれらの変形例について説明するが、主として上記実施形態と異なる構成及び作用について説明し、同様の構成についてはその説明を省略し、用語及び図番をそのまま援用することがある。
【００５２】
上記実施形態の、上蓋３が初期装着位置に装着された複合蓋が容器に装着されたマイクロ波処理用包装体１０において、上蓋３が初期装着位置から回転しないように保持し且つ複合蓋が容器から外れないようにするために、この複合蓋と容器に跨ってそれらの外側に筒状シュリンクフィルムが熱収縮装着されていてもよい。また、同様に複合蓋が容器から外れないようにするために、複合蓋と容器に跨って、タックラベルが貼付されていてもよい。
【００５３】
上記実施形態においては、押出突起部５は、その突出量が中心軸回り反対側に向かって徐々に増加しているが、例えば、図１４（ａ）に示すように、押出突起部５の突出量が、中心軸回り一方側を最小とし且つ中心軸回り反対側に向かって段階的に増加していてもよい。つまり、上記実施形態で示した押出突起部５の傾斜面５１を、小さな段部が連続した階段状に形成してもよい。同図に示すような階段状の傾斜面５１を有する押出突起部５も、上記平坦状の傾斜面５１を有する押出突起部５と同様に、穿孔部４を下方に押し下げることができる。
【００５４】
また、上記実施形態においては、押出突起部５に傾斜面５１が形成されているが、図１４（ｂ）に示すように、穿孔部４の天板部４１２が傾斜面とされていてもよい。具体的には、穿孔部４は、下蓋被覆板部２１の上面から上方に突出しており、その突出量が、中心軸回り反対側を最小とし且つ中心軸回り一方側に向かって徐々に又は段階的に増加している。このように傾斜面を有する天板部４１２が形成された穿孔部４でも、上記実施形態と同様に、上蓋３を中心軸回り一方側に回転させることにより、押出突起部５を介して穿孔部４を押し下げることができる。なお、押出突起部５及び穿孔部４の双方に、上記のような傾斜面がそれぞれ形成されていてもよい。
【００５５】
さらに、上記実施形態においては、押出突起部５の係合面５２は、上蓋被覆板部３１の内面から略直交しているが、例えば、図１５（ａ）に示すように、押出突起部５の係合面５２が、上蓋被覆板部３１の内面に対して鋭角状となるように形成されていてもよい。この場合、穿孔部４の筒状部４１１には、その中心軸回り一方側に、下方に向かうに従って刺し刃部４２に近づくような傾斜面４１４が形成されていることが好ましい。このような傾斜面４１４を有する穿孔部４の筒状部４１１としては、図示したように、下方に向かうに従って縮径する筒状が挙げられる。
【００５６】
上記実施形態で説明したように、穿孔部４を押し下げた後、係合突部３７と係合凹部２７の凹凸嵌合を強制的に外して、上蓋３を中心軸回り反対側に回したときには、押出突起部５の係合面５２が穿孔部４の筒状部４１１に当たる。このため、押出突起部５が穿孔部４を乗り越え難く、上蓋３の中心軸回り反対側の回転を規制できる。図示した変形例のような鋭角状の係合面５２を有する押出突起部５及び傾斜面４１４を有する筒状部４１１を有する穿孔部４によれば、上記回転軸回り反対側に上蓋３を回転させたときに、押出突起部５の係合面５２の先端部が筒状部４１１の傾斜面４１４に噛合するので、押出突起部５が穿孔部４をより乗り越え難くなるので好ましい。
【００５７】
また、図１５（ｂ）に示すように、押出突起部５の係合面５２の下方部に、中心軸回り反対側に突出する噛合突部５２１を形成し、一方、穿孔部４の筒状部４１１の中心軸回り一方側の下方部に、中心軸回り反対側に凹んだ噛合凹部４１５を形成してもよい。この噛合突部５２１を有する押出突起部５及び噛合凹部４１５を有する筒状部４１１を有する穿孔部４によれば、押出突起部５の噛合突部５２１が筒状部４１１の噛合凹部４１５に噛合するので、上記変形例と同様に、押出突起部５が穿孔部４をより乗り越え難くなるので好ましい。
【００５８】
さらに、上記実施形態において、上蓋３の下蓋２に対する初期装着位置を決める位置決め手段が設けられていてもよい。位置決め手段は、例えば、上蓋３の一部分と下蓋２の一部分を凹凸嵌合させる手段が挙げられる。例えば、位置決め手段は、図１６（ａ）及び（ｂ）に示すように、上蓋周側面部３３の内面から内側に突設された位置決め突起部７１と、下蓋周側面部２３の外面に凹設された、前記位置決め突起部７１が嵌り込む位置決め嵌合凹部７２と、からなる。
【００５９】
この位置決め突起部７１と上蓋周側面部３３との境界部分には、位置決め突起部７１を上蓋３から分離しやすくするための脆弱部７３が形成されている。例えば、脆弱部７３は、位置決め突起部７１の基部を細く形成した部分からなる。好ましくは、脆弱部７３は、図１６（ｂ）に示すように、位置決め突起部７１の基部の中心軸回り一方側及び反対側にそれぞれ刻設された刻み（例えば断面略Ｖ字状の刻み）からなる。このように中心軸回り一方側及び反対側に刻みを形成することにより、上蓋３を強く回したときに、位置決め突起部７１が脆弱部７３において折れ易くなる。
【００６０】
なお、上記脆弱部７３を有する位置決め突起部７１を下蓋２に設け、且つ、位置決め嵌合凹部７２を上蓋３に設けてもよい。
位置決め突起部７１と位置決め嵌合凹部７２は、上蓋３が初期装着位置にあるときに（例えば、第１ストッパー部３４が下蓋２の指掛け部２４２の一方の側部に当接しているときに）、両者が凹凸嵌合するような位置に、それぞれ形成されている。
【００６１】
かかる位置決め手段が設けられている複合蓋は、初期装着位置にある上蓋３を回転させ難いので、何者かがイタズラ目的などで、上蓋３を不正に回転させることを行い難くなる。
また、位置決め手段が脆弱部７３を有する位置決め突起部７１と位置決め嵌合凹部７２とからなる場合には、初期装着位置にある上蓋３を強い回転力で回転させると、脆弱部７３において位置決め突起部７１が折れるため、下蓋２の中心軸回りの一方側に回転させ、押出突起部５によって穿孔部４を押し下げることができる。位置決め突起部７１が折れると、上蓋３を元の位置に戻しても、再び位置決め突起部７１が位置決め嵌合凹部７２に嵌合しない。従って、上蓋３を回転させた後には、上蓋３を弱い回転力で回転させることができるようになるので、上蓋３が不正に回転されたかどうかを簡単に判別できる。
【００６２】
さらに、上記実施形態においては、穿孔部通過後位置にある上蓋３の回転を規制する規制手段は、係合突部３７と係合凹部２７の凹凸嵌合であったが、例えば、バネ部材を用いた規制手段（第３の規制手段）でもよい。具体的には、図１７及び図１８に示すように、下蓋被覆板部２１の上面の一部分に、板バネ部８を設ける。この板バネ部８の下端部（中心軸回り反対側の端部）は、下蓋被覆板部２１の上面に固定され、且つ、板バネ部８の先端部（中心軸回り一方側の端部）は自由端とされている。この板バネ部８は、下蓋被覆板部２１の上面に対して斜め方向に延びており、板バネ部８は上方に付勢力を有する。そして、この付勢力に抗して、板バネ部８の先端部は、上蓋被覆板部３１の内面によって下方に押さえ付けられている。また、上蓋被覆板部２１には、開口窓９が開口されている。この開口窓９は、図示例では、板バネ部８を基準にして中心軸回り反対側の所定位置に形成されている。なお、この開口窓９は、上記覗き窓部６と別に形成してもよいし、開口窓９が覗き窓部６の機能を兼用していてもよい。
【００６３】
板バネ部８は、上蓋３が初期装着位置にあるときには上蓋被覆板部３１に押さえ付けられ且つ上蓋３が穿孔部通過後位置にあるときには上蓋３の開口窓９から突出するような位置になるように、配置されている。
【００６４】
初期装着位置にある上蓋３を、中心軸回り一方向に回転させて穿孔部４を押し下げた後、上蓋３の開口部の下方に板バネ部８が位置するまで上蓋３を回転させると、図１９及び図２０に示すように、上蓋被覆板部３１に押さえ付けられていた板バネ部８が上蓋３の開口窓９から上方に突出する。このように板バネ部８の先端部が上蓋３の開口窓９を通じて上蓋被覆板部３１の上面から突出することにより、穿孔部通過後位置にある上蓋３を中心軸回り反対側に回転させることができなくなる（中心軸回り反対側に上蓋３を回そうとしても、開口窓９から突出した板バネ部８が回転障害となる）。また、板バネ部８が上蓋３の開口窓９から上方に突出するので、上蓋３が穿孔部通過後位置にあることを一目で判別することができる。従って、不正行為の有無を簡易に判別できる。
なお、この変形例において、バネ部材として板バネ部を用いたが、これに代えて、スプリングバネやゴム製バネなどをバネ部材として用いてもよい。
【００６５】
さらに、上記実施形態では、初期装着位置にある上蓋３を回転させていないことを視覚を以て簡単に判別できるようにするための手段として、上蓋３の覗き窓部６と、この覗き窓部６から視認できる未開封を示す表示及び開封を示す表示と、を例示している。この手段として、その他のものを用いることも可能である。
【００６６】
例えば、上蓋３が下蓋２の初期装着位置に装着されている状態で、上蓋３及び下蓋２に跨る目印を付与しておいてもよい。具体的には、例えば、上蓋３が初期装着位置において下蓋２に装着されている状態で、上蓋周側面部３３と下蓋周側面部２３の同一箇所にそれぞれ目印（例えば、直線や矢印などの表示、或いは、両周側面部２３，３３の同一箇所を切り欠いておくなど）を設けておく。このように初期装着位置にある上蓋３及び下蓋２の同一箇所に目印を付けておくことにより、初期装着位置にある上蓋３を中心軸回り一方側などに回転させたかどうかを視覚を以て簡単に判別することができる。
【産業上の利用可能性】
【００６７】
本発明のマイクロ波処理容器用の複合蓋は、マイクロ波処理容器の蓋材として利用できる。
【符号の説明】
【００６８】
１…マイクロ波処理容器、１１…シール蓋、２…下蓋、２１…下蓋被覆板部、２３…下蓋周側面部、２４…切開部、２７…係合凹部、３…上蓋、３１…上蓋被覆板部、３３…上蓋周側面部、３７…係合突部、４…穿孔部、４１１…穿孔部の筒状部、４１２…穿孔部の天板部、４２…穿孔部の刺し刃部、５…押出突起部、５１…押出突起部の傾斜面、５２…押出突起部の係合面、６…覗き窓部、７１…位置決め突起部、７２…位置決め嵌合凹部、７３…脆弱部、８…バネ部材、９…開口窓、１０…マイクロ波処理包装体
【図１】
2011251716.tif 000003
【図２】
2011251716.tif 000004
【図３】
2011251716.tif 000005
【図４】
2011251716.tif 000006
【図５】
2011251716.tif 000007
【図６】
2011251716.tif 000008
【図７】
2011251716.tif 000009
【図８】
2011251716.tif 000010
【図９】
2011251716.tif 000011
【図１０】
2011251716.tif 000012
【図１１】
2011251716.tif 000013
【図１２】
2011251716.tif 000014
【図１３】
2011251716.tif 000015
【図１４】
2011251716.tif 000016
【図１５】
2011251716.tif 000017
【図１６】
2011251716.tif 000018
【図１７】
2011251716.tif 000019
【図１８】
2011251716.tif 000020
【図１９】
2011251716.tif 000021
【図２０】
2011251716.tif 000022